(57)【要約】【課題】一つの部屋の中で使用目的等に応じて特に空調を強くしたい箇所と弱くしたい箇所とを、区別して空調することができ、更にその空調箇所の変更がきわめて容易になし得る空調用床面ユニットおよびその施工方法の提供。【解決手段】多数の通気孔１を有する一定単位広さのパネル２と、該パネル上に両面に粘着剤層を有するフィルム又はシート状物３と、更に、その上面に一定単位広さの通気性を有する合成樹脂製、織布製又は不織布製表面仕上げ層４を有する空調用床面ユニットおよびその施工方法。【選択図】　　　図１
2004108643.tif 000002
【特許請求の範囲】
【請求項１】
多数の通気孔を有する一定単位広さのパネルと、該パネル上に両面に粘着剤層を有するフィルム又はシート状物と、更に、その上面に通気性を有する合成樹脂製、織布製又は不織布製表面仕上げ層を有する空調用床面ユニット。
【請求項２】
請求項１記載の空調用床面ユニットの施工時に、床面全面に空調用床面ユニットを敷き詰めた後、送風の必要な箇所の合成樹脂製、織布製又は不織布製表面仕上げ層を取り除き、次いでその下面の、両面に粘着剤層を有するフィルム又はシート状物を取り除いた後、通気性を有する合成樹脂製、織布製又は不織布製表面仕上げ層をパネル上、元の位置に返すことを特徴とする請求項１記載の空調用床面ユニットの施工方法。
【請求項３】
請求項１記載の空調用床面ユニットの施工時に、床面全面に空調用床面ユニットを敷き詰めた後、送風の必要な箇所の合成樹脂製、織布製又は不織布製表面仕上げ層を取り除き、次いでその下面の、両面に粘着剤層を有するフィルム又はシート状物を、パネルの通気孔に相当する位置に穿孔した後、通気性を有する合成樹脂製、織布製又は不織布製表面仕上げ層を元の位置に返すことを特徴とする請求項１記載の空調用床面ユニットの施工方法。
【発明の詳細な説明】
【０００１】
【発明の属する技術分野】
本発明は、空調設備に使用するための空調用床面ユニットおよびその施工方法に関する。
【０００２】
【従来の技術】
近年、暖房や冷房等の空調設備から吹き出される暖気や冷気を部屋の床から吹き出すようにした構造として、部屋の床面の片隅に吹き出し口を設ける構造のものが使用されているが、このように限られた吹き出し口から空調空気を吹き出させる構造の空調設備では、外気温に応じて、又は部屋の使用目的に応じて供給すべき空調空気の量を調整したい場合、その調整範囲は限られたものでしかなかった。そして、一つの部屋の中で使用目的等に応じて、床面からの空調空気の吹き出しによって、特に空調を強くしたい箇所と弱くしたい箇所とを区別して空調することはできなかった。
【０００３】
かかる問題を解決するために、特許文献１には、「多数の通気穴を有する一定単位広さの床板と、その上に積層された一定単位広さの繊維等の間隙による通気性を有する織布製又は不織布製カーペットとから構成されてなる空調用床面ユニットの複数個を、床板又は／及びカーペットの、各通気穴の大きさ及びその密度あるいは通気抵抗を変化させて組み合わせ配置してなることを特徴とする空調用床面ユニットの組合せ構造」について記載され、更に、「一つの部屋の中で使用目的等に応じて特に空調を強くしたい箇所と弱くしたい箇所とを、区別して空調することができ、しかも冷房と暖房とで上記空調を強くしたい箇所が異なる場合にも、本考案のユニットを入れ換え組み合わせ配置するだけという簡単な作業によって、これに応じることができる。」と記載されている。しかし、この組み合わせ構造によれば、床板は、多数の通気穴を有するものと、通気穴を有しないものとを準備する必要があり、しかも、使用目的等に応じて空調箇所を変更する必要が生じた場合には、床板とともに入れ換えを必要とするため、施工技術者の作業を必要とする。また、カーペットの、各通気穴の大きさ及びその密度あるいは通気抵抗を変化させた場合には、床面が均一とはならず、意匠的にも満足するものではなかった。
【０００４】
【特許文献１】
登録実用新案第２５９７６９０号公報
【発明が解決しようとする課題】
【０００５】
本発明の目的は、一つの部屋の中で使用目的等に応じて特に空調を強くしたい箇所と弱くしたい箇所とを、区別して空調することができ、更にその空調箇所の変更がきわめて容易になし得る空調用床面ユニットおよびその施工方法を提供することにある。
【０００６】
【課題を解決するための手段】
本発明の第１は、多数の通気孔を有する一定単位広さのパネルと、該パネル上に両面に粘着剤層を有するフィルム又はシート状物と、更に、その上面に通気性を有する合成樹脂製、織布製又は不織布製表面仕上げ層を有する空調用床面ユニットに関する。
本発明の第２は、請求項１記載の空調用床面ユニットの施工時に、床面全面に空調用床面ユニットを敷き詰めた後、送風の必要な箇所の合成樹脂製、織布製又は不織布製表面仕上げ層を取り除き、次いでその下面の、両面に粘着剤層を有するフィルム又はシート状物を取り除いた後、通気性を有する合成樹脂製、織布製又は不織布製表面仕上げ層をパネル上、元の位置に返すことを特徴とする請求項１記載の空調用床面ユニットの施工方法に関する。
本発明の第３は、請求項１記載の空調用床面ユニットの施工時に、床面全面に空調用床面ユニットを敷き詰めた後、送風の必要な箇所の合成樹脂製、織布製又は不織布製表面仕上げ層を取り除き、次いでその下面の、両面に粘着剤層を有するフィルム又はシート状物を、パネルの通気孔に相当する位置に穿孔した後、通気性を有する合成樹脂製、織布製又は不織布製表面仕上げ層を元の位置に返すことを特徴とする請求項１記載の空調用床面ユニットの施工方法に関する。
【０００７】
両面に粘着剤層を有するフィルム又はシート状物を完全に剥離除去させた後の表面仕上げ層は、空調空気の圧力によって浮き上がったりするおそれがあるので、パネルに粘着剤等で固定することが望ましい。両面に粘着剤層を有するフィルム又はシート状物を、パネルの通気孔に相当する位置に穿孔した場合には、その必要がない。
部屋の模様替え等により床面の空調が不要となった箇所は、その部分の表面仕上げ層のみを取り除くことにより現れたパネル上に、新しい両面に粘着剤層を有するフィルム又はシート状物を貼着し、次いで、表面仕上げ層を元に返すことにより容易に空調を遮断することができる。
【０００８】
表面仕上げ層は、通気性を有することが必要であり、表面仕上げ層が合成樹脂製である場合には、予め、多数の微孔を形成して通気性としておくことが必要である。このことからも、通気性を有する織布製又は不織布製カーペットが特に好ましい。
カーペット製の表面仕上げ層としては、基布に繊維性のパイルを植設したカーペット原反そのままで、あるいはその裏面に通気性を維持し得るように形成された合成樹脂層の目止めや裏打ち層を設けたものが挙げられる。
空調用床面ユニットの大きさは、寸法が３０〜１００ｃｍ角、好ましくは４０〜６０ｃｍ角のものが一般的である。ただし、これらの数値は本発明を何ら限定するものではない。
【０００９】
粘着剤層を有するフィルム又はシート状物としては、両面に粘着剤層を有する、紙、合成樹脂フィルム、織布、不織布等を用いることができるが、粘着剤層を有するフィルム又はシート状物は非通気性であることが必要であり、その厚さは取扱いのできる範囲で可能な限り薄い方が良い。
粘着剤としては、ゴム系、ウレタン系、アクリル系、シリコン系などの粘弾性重合体に、必要に応じて、ロジン系、石油樹脂などの粘着付与樹脂、軟化剤、充てん剤、老化防止剤、架橋剤が配合されており、粘着剤の三要素といわれるタック、粘着力、保持力を考慮して配合される。
【００１０】
以下、図に基づいて本発明を説明するが、本発明はそれにより何ら限定されるものではない。
図１は、本発明の空調用床面ユニットの構成を示す説明図である。
本発明の空調用床面ユニットは、多数の通気孔１を有するパネル２と、該パネル２上に、両面に粘着層を有するフィルム又はシート状物３と、その上面に通気性を有する表面仕上げ層４を有する。
図１において、パネル２には空調空気の流れを容易にするための空隙５を形成するため、支柱６が示されている。しかし、パネル２を板状物とし、支柱６又は台座を別に取り付け、該空隙５を形成するようにしても良い。
【００１１】
図２は、本発明の空調用床面ユニットを用いた空調状態を示す断面図である。床７一面に本発明の空調用床面ユニットを敷き詰めた後、空調を要しない箇所（イ）はそのままで、空調を必要とする箇所（ロ）の表面仕上げ層４のみを取り除き、次いで、その下面の、両面に粘着層を有するフィルム又はシート状物３を取り除いた後、先に取り除いた表面仕上げ層４をパネル２上、もとの位置に返すことにより、その部分のみ空調用空気８が通過するようになり他の部分は両面に粘着層を有するフィルム又はシート状物３により空調空気８が遮断されているので、床面の必要箇所のみ空調することができる。
なお、両面に粘着層を有するフィルム又はシート状物３を取り除くことに代えて、両面に粘着剤層を有するフィルム又はシート状物を、パネルの通気孔１に相当する位置に穿孔することにより、空調用空気８が通過するようにしても良い。また、部屋の模様替え等により床面の空調が不要となった箇所の表面仕上げ層４のみを取り除くことにより現れたパネル２上に新しい両面に粘着剤層を有するフィルム又はシート状物を貼着し、次いで、表面仕上げ層４を元に返すことにより、容易に空調を遮断することができる。
【００１２】
【発明の効果】
本発明によれば、比較的軽量の表面仕上げ層の取り除き、元に返却する作業と、両面に粘着層を有するフィルム又はシート状物の剥離または貼着、あるいは通気孔を開けるのみで、各床面の目的等に応じて幅広く空調程度の調節変更ができるので、家庭内、事務所内での部屋の模様替えに際しての空調程度の調節変更を簡単に実施することができる。そして、本発明の空調用床面ユニットの施工方法によれば、パネルの移動を必要としないため、そのための工事人も必要なく、しかも、パネルの移動もないため、空調変更のために行うパネルの移動による床面の歪み等が全く生じない長所を有する。
【図面の簡単な説明】
【図１】本発明の空調用床面ユニットの構成を示す説明図である。
【図２】本発明の空調用床面ユニットを用いた空調状態を示す断面図である。
【符号の説明】
１　　通気孔
２　　パネル
３　　両面に粘着層を有するフィルム又はシート状物
４　　通気性を有する表面仕上げ層
５　　空隙
６　　支柱
７　　床
８　　空調用空気
イ　　空調を要しない箇所
ロ　　空調を必要とする箇所
【図１】
2004108643.tif 000003
【図２】
2004108643.tif 000004